【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  複数の移動体にそれぞれ設定される移動局と基地局との間で無線通信を行うための移動通信方法において、
移動局から基地局への通信に使用する上りチャネルと、基地局から移動局への通信に使用する下りチャネルとが異なるチャネルであるような対を形成する組合せを、複数対設定しておき、
該複数のうちの少数の対の組合せを音声通話用に割当てて音声通話用チャネルとし、該複数のうちの多数の対の組合せをデータ通信用に割当ててデータ通信用チャネルとしておき、
各移動局と基地局との間で、データ通信用チャネルを用いてデータ通信を行うとともに、基地局はデータ通信用チャネルで、音声通話用チャネルの使用状況を表すデータを送信し、
基地局に対する音声通話が必要となる移動局は、データ通信用チャネルで基地局から送信される音声通話用チャネルの使用状況を表すデータを受信して、音声通話用チャネルが使用中でないときに、該移動局と基地局との間で、音声通話用チャネルを使用して音声通話を行うことを特徴とする移動通信方法。
【請求項２】  複数の移動体にそれぞれ設定されて予め識別情報が設定される移動局と、基地局との間で無線通信を行うための移動通信方法において、
移動局から基地局への通信に使用する上りチャネルと、基地局から移動局への通信に使用する下りチャネルとが異なるチャネルであるような対を形成する組合せを、複数対設定しておき、
該複数のうちの少数の対の組合せを音声通話用に割当てて音声通話用チャネルとし、該複数のうちの多数の対の組合せをデータ通信用に割当ててデータ通信用チャネルとしておき、
各移動局と基地局との間で、データ通信用チャネルを用いてデータ通信を行うとともに、
特定の移動局に対する音声通話が必要となる基地局は、データ通信用チャネルを使用して、該移動局に設定されている識別情報を付して、該移動局に対する音声通話の開始を表すデータを送信し、
基地局から送信される識別情報が設定されている移動局が該音声通話の開始を示すデータを受信すると、該移動局と基地局との間で、音声通話用チャネルを使用して音声通話を行うことを特徴とする移動通信方法。
【請求項３】  移動体に搭載され、他の複数の移動体とともに基地局装置との間で無線通信を行うための移動局装置において、
移動局装置から基地局装置への送信に使用する上りチャネルと、基地局装置から移動局装置への送信に使用する下りチャネルとが異なるチャネルであるような対を形成する組合せが予め複数対設定され、該複数のうちの少数の対の組合せが音声通話用に割当てられて音声通話用チャネルとなり、該複数のうちの多数の対の組合せがデータ通信用に割当てられてデータ通信用チャネルとなるときに、音声通話用チャネルまたはデータ通話用チャネルのいずれかを選択して、データ通信または音声通話が可能な送受信手段と、
送受信手段を制御して、データ通信用チャネルを選択しておき、基地局装置からのデータ通信に予め定める条件を満たす音声通話用の情報が含まれるときに、音声通話用チャネルを選択するように切替える制御手段とを含むことを特徴とする移動局装置。
【請求項４】  複数の移動体にそれぞれ設定されて予め識別情報が設定される移動局装置との間で無線通信を行うための基地局装置において、
移動局装置から基地局装置への送信に使用する上りチャネルと、基地局装置から移動局装置への送信に使用する下りチャネルとが異なるチャネルであるような対を形成する組合せが予め複数対設定され、該複数のうちの少数の対の組合せを音声通話用に割当てて音声通話用チャネルとし、該複数のうちの多数の対の組合せをデータ通信用に割当ててデータ通信用チャネルとして、音声通話用チャネルとデータ通話用チャネルとをそれぞれ選択して、データ通信と音声通話とがそれぞれ可能な送受信手段と、
送受信手段を制御して、データ通信用チャネルを使用し、各移動局装置との間で、音声通話に関して予め定められるデータを含むデータ通信を行い、予め定める条件が満たされるときのみ、音声通話用チャネルを使用し、移動局装置との間で音声通話を行うように制御する制御手段とを含むことを特徴とする基地局装置。
【請求項５】  複数の移動体にそれぞれ搭載される請求項３記載の移動局装置と、請求項４記載の基地局装置とを含む移動通信システムであって、
基地局装置の制御手段は、前記音声通話に関して予め定められるデータとして、音声通信用チャネルの使用状況を表すデータを、全てのデータ通信用チャネルで同時に、定期的に送信するように基地局装置の送受信手段を制御し、
移動局装置の制御手段は、通常、データ通信用チャネルで送受信を行うように該移動局装置の送受信手段を制御し、
移動局装置に操作者からの音声通話要求がなされると、移動局装置の制御手段は、移動局装置の送受信手段によって基地局装置から受信する該使用状況を表すデータによって、音声通話用チャネルが空いている条件が満たされると判断する場合のみ、移動局装置の送受信手段を制御して、音声通話用チャネルを選択するように切替え、基地局装置との間で音声通話を行うように制御することを特徴とする移動通信システム。
【請求項６】  前記基地局装置の制御手段は、特定の移動局装置に対する音声通話が必要となると、データ通信用チャネルを使用し、前記音声通話に関して予め定められるデータとして、該移動局装置に対する音声通話の開始部分を表すデータを、該移動局装置に設定されている識別情報を付して送信するように基地局装置の送受信手段を制御し、
該識別情報が設定されている移動局装置の制御手段は、該移動局装置の送受信手段を制御して、基地局装置からの音声通話の開始部分に対する音声通話による応答を、音声通話用チャネルを使用して送信し、
該移動局装置の制御手段と基地局装置の制御手段は、該応答に続く音声通話を該音声通話用チャネルを使用して行うことを特徴とする請求項５記載の移動通信システム。
【請求項７】  前記基地局装置の制御手段は、全部の移動局装置に音声通話を行う場合に、全てのデータ通信用チャネルを使用して、基地局装置からの音声通話の送信を行うように、基地局装置の送受信手段を制御し、
前記移動局装置の制御手段は、該移動局装置の送受信手段によって、前記基地局装置から前記データ通信用チャネルを使用して送信される音声通話を受信した後で、該移動局装置から基地局装置に音声通話を送信する場合に、前記音声通話用チャネルを選択するように送受信手段を切替え、
基地局装置の制御手段、および該移動局装置の制御手段は、音声通話用チャネルを使用して音声通話を続けるように送受信手段をそれぞれ制御することを特徴とする請求項５記載の移動通信システム。
【請求項８】  前記基地局装置の制御手段は、
前記音声通話用チャネルを使用して音声通話を行う移動局装置がない場合は、該音声通話用チャネルで予め定める終話信号を常時送出するように、基地局装置の送受信手段を制御し、
音声通話を行っている場合は、基地局装置から送信する音声通話、または移動局装置から受信する音声通話のいずれもない状態が一定時間経過すると、音声通話について予め定める終話信号を送出し、
移動局装置の制御手段は、該移動局装置の送受信手段が基地局装置から送出される終話信号を受信すると、音声通話用チャネルからデータ通信用チャネルに切替えるように、該移動局装置の送受信手段を制御することを特徴とする請求項５〜７のいずれかに記載の移動通信システム。
【請求項９】  前記移動局装置の制御手段と前記基地局装置の制御手段とは、前記音声通話用チャネルを使用して音声通話が行われていない期間に、該音声通話用チャネルを使用してデータ通信を行うように送受信手段をそれぞれ制御することを特徴とする請求項５〜８のいずれかに記載の移動通信システム。
【請求項１０】  前記移動局装置の制御手段は、他の移動局装置と前記基地局装置とが音声通話で前記音声通話用チャネルを使用している場合、基地局装置が音声通話用の送信を行っている期間に、該音声通話用チャネルを使用して基地局へデータを送信するデータ通信を行うように送受信手段をそれぞれ制御することを特徴とする請求項５〜９のいずれかに記載の移動通信システム。
【請求項１１】  前記基地局装置の制御手段は、前記音声通話用チャネルを音声通話に使用していない場合、および音声通話に使用していても基地局装置から移動局装置への音声通話を送出していない場合に、音声通話用チャネルで全ての移動局装置に対して放送するデータを送信するように、基地局装置の送受信手段を制御することを特徴とする請求項５〜１０のいずれかに記載の移動通信システム。
【請求項１２】  前記音声通話用チャネルを使用して音声通話を行っている場合に、
前記基地局装置の制御手段は、基地局装置から音声通話の送信を行っていない時間帯は、該音声通話用チャネルを使用してデータを送信するように基地局装置の送受信手段を制御し、
前記各移動局装置の制御手段は、該移動局装置から音声通話の送信を行っていない時間帯は、該音声通話用チャネルを使用してデータを送信するように該移動局装置の送受信手段を制御して、
基地局装置と移動局装置との間のデータ通信を行うことを特徴とする請求項５〜１１のいずれかに記載の移動通信システム。
【手続補正２】
【補正対象書類名】明細書
【補正対象項目名】００３０
【補正方法】削除
【補正の内容】
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】変更
【補正の内容】
【００３６】
また本発明で、前記基地局装置の制御手段は、全部の移動局装置に音声通話を行う場合に、全てのデータ通信用チャネルを使用して、基地局装置からの音声通話の送信を行うように、基地局装置の送受信手段を制御し、
前記移動局装置の制御手段は、該移動局装置の送受信手段によって、前記基地局装置から前記データ通信用チャネルを使用して送信される音声通話を受信した後で、該移動局装置から基地局装置に音声通話を送信する場合に、前記音声通話用チャネルを選択するように送受信手段を切替え、
基地局装置の制御手段、および該移動局装置の制御手段は、音声通話用チャネルを使用して音声通話を続けるように送受信手段をそれぞれ制御することを特徴とする。
【手続補正９】
【補正対象書類名】明細書
【補正対象項目名】００３７
【補正方法】変更
【補正の内容】
【００３７】
本発明に従えば、全部の移動局装置に音声通話を行う必要がるようなときに、基地局装置の制御手段は、全てのデータ通信用チャネルを使用して、基地局装置からの音声通話の送信を行うように、基地局装置の送受信手段を制御する。各移動局装置の送受信手段は、その移動局装置に割当てられているデータ通信用チャネルを受信しており、基地局装置から送信される音声通話も容易に受信することができる。このように音声通話の開始時の制御にデータ通信用チャネルを使用し、該移動局装置から基地局装置に音声通話を送信する場合に音声通話用チャネルを使用して音声通話を継続して行うことができる。これによって基地局装置と音声通話を行っていない移動局装置は、基地局装置との間で、音声通話に影響を与えないで、データ通信を行うことができる。
【手続補正１０】
【補正対象書類名】明細書
【補正対象項目名】００４０
【補正方法】削除
【補正の内容】
【手続補正１１】
【補正対象書類名】明細書
【補正対象項目名】００４１
【補正方法】削除
【補正の内容】
【手続補正１２】
【補正対象書類名】明細書
【補正対象項目名】００４２
【補正方法】削除
【補正の内容】
【手続補正１３】
【補正対象書類名】明細書
【補正対象項目名】００４３
【補正方法】削除
【補正の内容】
【手続補正１４】
【補正対象書類名】明細書
【補正対象項目名】００４４
【補正方法】削除
【補正の内容】
【手続補正１５】
【補正対象書類名】明細書
【補正対象項目名】００４５
【補正方法】削除
【補正の内容】
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００４８
【補正方法】削除
【補正の内容】
【手続補正１９】
【補正対象書類名】明細書
【補正対象項目名】００４９
【補正方法】削除
【補正の内容】
【手続補正２０】
【補正対象書類名】明細書
【補正対象項目名】００５０
【補正方法】削除
【補正の内容】
【手続補正２１】
【補正対象書類名】明細書
【補正対象項目名】００５１
【補正方法】削除
【補正の内容】
【手続補正２２】
【補正対象書類名】明細書
【補正対象項目名】００５２
【補正方法】削除
【補正の内容】
【手続補正２３】
【補正対象書類名】明細書
【補正対象項目名】００５３
【補正方法】削除
【補正の内容】
【手続補正２４】
【補正対象書類名】明細書
【補正対象項目名】００５４
【補正方法】削除
【補正の内容】
【手続補正２５】
【補正対象書類名】明細書
【補正対象項目名】００５５
【補正方法】削除
【補正の内容】
【手続補正２６】
【補正対象書類名】明細書
【補正対象項目名】００５６
【補正方法】削除
【補正の内容】
【手続補正２７】
【補正対象書類名】明細書
【補正対象項目名】００５７
【補正方法】削除
【補正の内容】
【手続補正２８】
【補正対象書類名】明細書
【補正対象項目名】０１４５
【補正方法】変更
【補正の内容】
【０１４５】
図４１は、移動局装置の制御部による制御手順を示す。ステップｖ０からステップｖ７までの各ステップは、図４のステップｂ０からステップｂ７までの各ステップとそれぞれ同等である。ステップｖ２で周波数がｆｖであれば、ステップｖ８で音声データ受信か判断し、受信していればステップｖ９で、重要データ伝送フラグＤＦの値を調べる。ＤＦが初期値である０であれば、ステップｖ１０で受信した音声データを音声復号器へ伝送する。ステップｖ９でＤＦ＝１であれば、ステップｖ１１でＤＦに２を設定し、ステップｖ１２で基地局に送るデータＤｄをデジタル変復調器へ伝送し、ステップｂ１３で１フレーム分のデータを送信する。
【手続補正２９】
【補正対象書類名】明細書
【補正対象項目名】０１７０
【補正方法】削除
【補正の内容】
【手続補正３０】
【補正対象書類名】明細書
【補正対象項目名】０１７１
【補正方法】削除
【補正の内容】
【手続補正３１】
【補正対象書類名】明細書
【補正対象項目名】０１７２
【補正方法】削除
【補正の内容】
【手続補正３２】
【補正対象書類名】明細書
【補正対象項目名】０１７３
【補正方法】変更
【補正の内容】
【０１７３】
また本発明によれば、基地局装置の制御手段は、全てのデータ通信用チャネルを使用して、全部の移動局装置に音声を送信することができる。また音声通話の開始時の制御にデータ通信用チャネルを使用すれば、音声通話を音声通話用チャネルを使用して継続して行うことができるので、基地局装置と音声通話を行っていない移動局装置は、音声通話に影響を与えないで、データ通信を行うことができる。
【手続補正３３】
【補正対象書類名】明細書
【補正対象項目名】０１７５
【補正方法】削除
【補正の内容】
【手続補正３４】
【補正対象書類名】明細書
【補正対象項目名】０１７６
【補正方法】削除
【補正の内容】
【手続補正３５】
【補正対象書類名】明細書
【補正対象項目名】０１７７
【補正方法】削除
【補正の内容】
【手続補正３６】
【補正対象書類名】明細書
【補正対象項目名】０１７８
【補正方法】削除
【補正の内容】
【手続補正３７】
【補正対象書類名】明細書
【補正対象項目名】０１７９
【補正方法】削除
【補正の内容】
【手続補正３８】
【補正対象書類名】明細書
【補正対象項目名】０１８０
【補正方法】削除
【補正の内容】
【手続補正３９】
【補正対象書類名】明細書
【補正対象項目名】０１８１
【補正方法】削除
【補正の内容】
【手続補正４０】
【補正対象書類名】明細書
【補正対象項目名】０１８２
【補正方法】削除
【補正の内容】
【手続補正４１】
【補正対象書類名】明細書
【補正対象項目名】０１８３
【補正方法】削除
【補正の内容】